(57)【要約】【課題】商品陳列システムに収容される複数種類の陳列販売商品の適正な商品陳列形態を自動生成することができるデータ処理装置を提供する。【解決手段】データ処理装置８００は、タバコパックＴＰなどの販売商品種別ごとの商品売上順位ＴＳＲと商品保持位置ＰＫＳごとの位置売上順位ＰＳＲとを取得し、商品売上順位ＴＳＲと位置売上順位ＰＳＲとの対応関係条件ＣＲＲによりタバコ陳列システム１０００にタバコパックＴＰなどを陳列する商品陳列形態ＰＤＦを生成して表示する。例えば、売上が良好なタバコパックＴＰなどを売上が良好な商品保持位置ＰＫＳに陳列し、さらなる売上向上を期待した商品陳列形態ＰＤＦや、売上が不良なタバコパックＴＰなどを売上が良好な商品保持位置ＰＫＳに陳列し、売上改善を期待した商品陳列形態ＰＤＦなどを生成できる。【選択図】図１
2010033114.tif 000002
【特許請求の範囲】
【請求項１】
商品陳列システムに収容される複数種類の陳列販売商品の商品陳列形態を生成するデータ処理装置であって、
商品保持位置で前記陳列販売商品を上下方向および左右方向に所定個数ずつ配列して陳列するとともに前後方向に所定個数ずつ収容する前記商品陳列システムの陳列収容構造を少なくともシステム正面画像とともに記憶する構造記憶部と、
前記システム正面画像の前記商品保持位置に配置される前記陳列販売商品ごとに少なくとも商品正面画像を記憶する商品記憶部と、
前記陳列販売商品の販売商品種別ごとの商品売上順位を取得する商品順位部と、
前記陳列販売商品の前記商品保持位置ごとの位置売上順位を取得する位置順位部と、
取得された前記商品売上順位と前記位置売上順位との対応関係条件により前記商品陳列システムに前記陳列販売商品を陳列する前記商品陳列形態を生成する陳列生成部と、
生成された前記商品陳列形態で前記商品正面画像を前記システム正面画像の前記商品保持位置に配置して表示出力する陳列表示部と、
を有するデータ処理装置。
【請求項２】
取得された前記商品売上順位と前記位置売上順位とを表示出力する順位表示部と、
表示出力された前記商品売上順位と前記位置売上順位とに前記対応関係条件を設定する入力操作を受け付ける条件入力部とを、
さらに有する請求項１に記載のデータ処理装置。
【請求項３】
前記構造記憶部は、前記商品陳列システムの前記商品保持位置ごとに位置識別データも記憶し、
前記順位表示部は、取得された前記商品売上順位で前記商品正面画像を一覧表示するとともに取得された前記位置売上順位で前記位置識別データを一覧表示し、
前記条件入力部は、前記商品売上順位で一覧表示された前記商品正面画像と前記位置売上順位で一覧表示された前記位置識別データとに前記対応関係条件を設定する請求項２に記載のデータ処理装置。
【請求項４】
前記順位表示部は、取得された前記商品売上順位で前記商品正面画像を一覧表示するとともに取得された前記位置売上順位を前記システム正面画像の前記商品保持位置に表示出力し、
前記条件入力部は、前記商品売上順位で一覧表示された前記商品正面画像と前記位置売上順位が表示出力された前記商品保持位置とに前記対応関係条件を設定する請求項２または３に記載のデータ処理装置。
【請求項５】
前記対応関係条件により生成される前記商品陳列形態を陳列補正条件により補正する陳列補正部を、さらに有する請求項１ないし４の何れか一項に記載のデータ処理装置。
【請求項６】
前記陳列補正部は、前記商品売上順位と前位置売上順位との少なくとも一方を前記陳列補正条件により補正する請求項５に記載のデータ処理装置。
【請求項７】
前記位置順位部は、前記位置売上順位として所定期間での前記商品保持位置ごとの商品販売個数を取得し、
前記商品記憶部は、前記陳列販売商品ごとに商品販売単価も記憶し、
前記商品陳列形態に対応して前記商品保持位置ごとに前記商品販売個数と前記商品販売単価を乗算して位置予想売上を算出する予想算出部と、
算出された前記位置予想売上を前記システム正面画像の前記商品保持位置ごとに表示出力する予想表示部とを、
さらに有する請求項１ないし６の何れか一項に記載のデータ処理装置。
【請求項８】
前記商品保持位置ごとに算出された前記位置予想売上を総計してシステム予想売上を算出する総計算出部と、
算出された前記システム予想売上を表示出力する総計表示部とを、
さらに有する請求項７に記載のデータ処理装置。
【請求項９】
前記位置順位部は、前記位置売上順位として所定期間での前記商品保持位置ごとの商品販売個数を取得し、
前記商品記憶部は、前記陳列販売商品ごとに商品販売実益も記憶し、
前記商品陳列形態に対応して前記商品保持位置ごとに前記商品販売個数と前記商品販売実益を乗算して位置予想実益を算出する予想算出部と、
算出された前記位置予想実益を前記システム正面画像の前記商品保持位置ごとに表示出力する予想表示部とを、
さらに有する請求項１ないし８の何れか一項に記載のデータ処理装置。
【請求項１０】
前記商品保持位置ごとに算出された前記位置予想実益を総計してシステム予想実益を算出する総計算出部と、
算出された前記システム予想実益を表示出力する総計表示部とを、
さらに有する請求項９に記載のデータ処理装置。
【請求項１１】
前記商品記憶部は、前記陳列販売商品の少なくとも一部としてタバコパックとタバコカートンとを記憶し、
前記商品順位部は、前記タバコパックの前記販売商品種別ごとの前記商品売上順位と前記タバコカートンの前記販売商品種別ごとの前記商品売上順位とを個別に取得し、
前記構造記憶部は、前記タバコパックの前記商品保持位置と前記タバコカートンの前記商品保持位置とが区分されている前記陳列収容構造を記憶し、
前記位置順位部は、前記タバコパックの前記商品保持位置ごとの前記位置売上順位と前記タバコカートンの前記商品保持位置ごとの前記位置売上順位を個別に取得し、
前記陳列生成部は、前記タバコパックの前記商品売上順位と前記位置売上順位との前記対応関係条件および前記タバコカートンの前記商品売上順位と前記位置売上順位との前記対応関係条件により前記商品陳列システムに前記タバコパックと前記タバコカートンとを陳列する前記商品陳列形態を生成し、
前記陳列表示部は、前記商品陳列形態で前記タバコパックと前記タバコカートンとが陳列された前記商品陳列システムを表示出力する請求項１ないし１０の何れか一項に記載のデータ処理装置。
【請求項１２】
商品陳列システムに収容される複数種類の陳列販売商品の商品陳列形態を生成するデータ処理装置のコンピュータプログラムであって、
商品保持位置で前記陳列販売商品を上下方向および左右方向に所定個数ずつ配列して陳列するとともに前後方向に所定個数ずつ収容する前記商品陳列システムの陳列収容構造を少なくともシステム正面画像とともに記憶する構造記憶処理と、
前記システム正面画像の前記商品保持位置に配置される前記陳列販売商品ごとに少なくとも商品正面画像を記憶する商品記憶処理と、
前記陳列販売商品の販売商品種別ごとの商品売上順位を取得する商品順位処理と、
前記陳列販売商品の前記商品保持位置ごとの位置売上順位を取得する位置売上処理と、
取得された前記商品売上順位と前記位置売上順位との対応関係条件により前記商品陳列システムに前記陳列販売商品を陳列する前記商品陳列形態を生成する陳列生成処理と、
生成された前記商品陳列形態で前記商品正面画像を前記システム正面画像の前記商品保持位置に配置して表示出力する陳列表示処理と、
をデータ処理装置に実行させるコンピュータプログラム。
【請求項１３】
商品陳列システムに収容される複数種類の陳列販売商品の商品陳列形態を生成するデータ処理装置のデータ処理方法であって、
商品保持位置で前記陳列販売商品を上下方向および左右方向に所定個数ずつ配列して陳列するとともに前後方向に所定個数ずつ収容する前記商品陳列システムの陳列収容構造を少なくともシステム正面画像とともに記憶する構造記憶動作と、
前記システム正面画像の前記商品保持位置に配置される前記陳列販売商品ごとに少なくとも商品正面画像を記憶する商品記憶動作と、
前記陳列販売商品の販売商品種別ごとの商品売上順位を取得する商品順位動作と、
前記陳列販売商品の前記商品保持位置ごとの位置売上順位を取得する位置売上動作と、
取得された前記商品売上順位と前記位置売上順位との対応関係条件により前記商品陳列システムに前記陳列販売商品を陳列する前記商品陳列形態を生成する陳列生成動作と、
生成された前記商品陳列形態で前記商品正面画像を前記システム正面画像の前記商品保持位置に配置して表示出力する陳列表示動作と、
を有するデータ処理方法。
【発明の詳細な説明】
【技術分野】
【０００１】
本発明は、商品陳列システムに収容される複数種類の陳列販売商品の商品陳列形態をシミュレートするデータ処理装置、このデータ処理装置のコンピュータプログラムおよびデータ処理方法、に関する。
【背景技術】
【０００２】
現在、いわゆるコンビニエンスストアなどのタバコ販売店舗では、例えば、陳列販売商品としてタバコパックを陳列して販売している。なお、ここで云うタバコパックとは、実際に喫煙される複数の紙巻タバコを、直方体状のパッケージに収容した陳列販売商品を意味している。
【０００３】
そこで、タバコパックを陳列する商品陳列システムは、例えば、複数のマガジンユニットと一個のシステムフレームからなる。マガジンユニットは、例えば、無色透明な樹脂により、前後方向に細長い上面開口のボックス状に形成されている。マガジンユニットは、立設された状態のタバコパックが前後方向に配列された状態で上方から収容される。
【０００４】
システムフレームは、複数のマガジンユニットを上下左右に配列して保持する。このため、従来の商品陳列システムは、タバコパックを上下左右に配列して陳列することができる。
【０００５】
タバコパックなどの商品の販売を促進する上で、魅力ある売場構築は重要な要素である。売場構築を考えるにあたっては、種々の要素を考慮する必要があるが、特に商品を陳列する場所の大きさは、重要な因子となる。
【０００６】
商品の売場として、従来は、ショッピングモールや量販店等の広大な売場が主流であった。しかし、近年では、流通形態の変化により、コンビニエンスストアのような狭小な売場が大幅に増加してきている。
【０００７】
こうした狭小な売場においては、限られたスペースで如何に最大の顧客訴求効果を得るかが、販売戦略上の最重要テーマとなる。しかしながら、従来、こうした狭小な売場において、優れた顧客訴求効果の得られる売場構築は、あまり充分に検討されることはなかった。また、タバコ販売店舗に導入される商品陳列システムは定型のものが多く、売場構築の工夫をするにも限界があった。
【０００８】
特に、コンビニエンスストアのような狭小なタバコ販売店舗では、商品陳列システムを設置する売場スペースを確保するのが精一杯であるうえ、短時間で設置作業を完了させることが求められるため、顧客訴求効果および売場構築への寄与といった観点から商品陳列システムが開発された例はほとんどなかった。
【特許文献１】特開２００４−１５１９５５号公報
【発明の開示】
【発明が解決しようとする課題】
【０００９】
そこで、上述のような課題を解決するため、本出願人は過去にユニット構造の商品陳列システムを発明し、特願２００６−２６６６２５号として出願した。その商品陳列システムでは、複数種類のユニット部材が任意の組み合わせで上下方向に連結されて左右方向に配列される。
【００１０】
このため、狭小なタバコ販売店舗でも、簡単に搬入して迅速に設置することができる。さらに、設置場所にもタバコパックの商品陳列形態にも柔軟性があるので、訴求効果が高い売場を演出するようなことができる。従って、理想的な売場の構築に寄与することができる。
【００１１】
上述のように、特願２００６−２６６６２５号の商品陳列システムは、理想的な売場構築を実現するため、複数種類のユニット部材を様々に組み合わせることができる。このような商品陳列システムでタバコパックを陳列販売する場合、作業者は所望により商品陳列システムを構築してタバコパックを陳列すればよい。
【００１２】
しかし、上述の商品陳列システムは余りにも自由度が高いため、そのユニット部材の組み合わせは膨大である。このため、商品陳列システムを新規に導入するタバコ販売店舗の作業者は、タバコパックの最適な商品陳列形態の決定に苦慮する可能性がある。
【００１３】
特に、タバコパックやタバコカートンは、人気により販売の回転速度が大幅に相違する。このため、人気のタバコパックやタバコカートンは多量に在庫しておく必要がある。
【００１４】
一方、販売速度は低くとも着実に売れるタバコパックなどもあり、このようなタバコパックも少量ながら在庫しておく必要がある。しかし、このようにタバコパックごとにタバコ陳列システムに収容しておく最適な個数を考慮しながら、タバコ陳列システムでのタバコパックなどの美麗な商品陳列形態を構築することは、極めて困難である。
【００１５】
本発明は上述のような課題に鑑みてなされたものであり、商品陳列システムに収容される複数種類の陳列販売商品の適正な商品陳列形態を自動生成することができるデータ処理装置を提供するものである。
【課題を解決するための手段】
【００１６】
本発明のデータ処理装置は、商品陳列システムに収容される複数種類の陳列販売商品の商品陳列形態を生成するデータ処理装置であって、商品保持位置で陳列販売商品を上下方向および左右方向に所定個数ずつ配列して陳列するとともに前後方向に所定個数ずつ収容する商品陳列システムの陳列収容構造を少なくともシステム正面画像とともに記憶する構造記憶部と、システム正面画像の商品保持位置に配置される陳列販売商品ごとに少なくとも商品正面画像を記憶する商品記憶部と、陳列販売商品の販売商品種別ごとの商品売上順位を取得する商品順位部と、陳列販売商品の商品保持位置ごとの位置売上順位を取得する位置順位部と、取得された商品売上順位と位置売上順位との対応関係条件により商品陳列システムに陳列販売商品を陳列する商品陳列形態を生成する陳列生成部と、生成された商品陳列形態で商品正面画像をシステム正面画像の商品保持位置に配置して表示出力する陳列表示部と、を有する。
【００１７】
従って、本発明のデータ処理装置では、商品保持位置で陳列販売商品を上下方向および左右方向に所定個数ずつ配列して陳列するとともに前後方向に所定個数ずつ収容する商品陳列システムの陳列収容構造を少なくともシステム正面画像とともに構造記憶部が記憶し、システム正面画像の商品保持位置に配置される陳列販売商品ごとに少なくとも商品正面画像を商品記憶部が記憶する。さらに、陳列販売商品の販売商品種別ごとの商品売上順位を商品順位部が取得し、陳列販売商品の商品保持位置ごとの位置売上順位を位置順位部が取得する。すると、取得された商品売上順位と位置売上順位との対応関係条件により商品陳列システムに陳列販売商品を陳列する商品陳列形態を陳列生成部が生成する。生成された商品陳列形態で陳列表示部が商品正面画像をシステム正面画像の商品保持位置に配置して表示出力する。従って、商品売上順位と位置売上順位との対応関係条件による商品陳列形態がシステム正面画像と商品正面画像とで表示出力されるので、例えば、売上が良好な陳列販売商品を、売上が良好な商品保持位置に陳列した商品陳列形態や、売上が不良な陳列販売商品を売上が良好な商品保持位置に陳列した商品陳列形態などが、生成されて画像表示される。
【００１８】
また、上述のようなデータ処理装置において、取得された商品売上順位と位置売上順位とを表示出力する順位表示部と、表示出力された商品売上順位と位置売上順位とに対応関係条件を設定する入力操作を受け付ける条件入力部と、を有してもよい。
【００１９】
また、上述のようなデータ処理装置において、構造記憶部は、商品陳列システムの商品保持位置ごとに位置識別データも記憶し、順位表示部は、取得された商品売上順位で商品正面画像を一覧表示するとともに取得された位置売上順位で位置識別データを一覧表示し、条件入力部は、商品売上順位で一覧表示された商品正面画像と位置売上順位で一覧表示された位置識別データとに対応関係条件を設定してもよい。
【００２０】
また、上述のようなデータ処理装置において、順位表示部は、取得された商品売上順位で商品正面画像を一覧表示するとともに取得された位置売上順位をシステム正面画像の商品保持位置に表示出力し、条件入力部は、商品売上順位で一覧表示された商品正面画像と位置売上順位が表示出力された商品保持位置とに対応関係条件を設定してもよい。
【００２１】
また、上述のようなデータ処理装置において、対応関係条件により生成される商品陳列形態を陳列補正条件により補正する陳列補正部を、さらに有してもよい。
【００２２】
また、上述のようなデータ処理装置において、陳列補正部は、商品売上順位と置売上順位との少なくとも一方を陳列補正条件により補正してもよい。
【００２３】
また、上述のようなデータ処理装置において、位置順位部は、位置売上順位として所定期間での商品保持位置ごとの商品販売個数を取得し、商品記憶部は、陳列販売商品ごとに商品販売単価も記憶し、商品陳列形態に対応して商品保持位置ごとに商品販売個数と商品販売単価を乗算して位置予想売上を算出する予想算出部と、算出された位置予想売上をシステム正面画像の商品保持位置ごとに表示出力する予想表示部とを、さらに有してもよい。
【００２４】
また、上述のようなデータ処理装置において、商品保持位置ごとに算出された位置予想売上を総計してシステム予想売上を算出する総計算出部と、算出されたシステム予想売上を表示出力する総計表示部とを、さらに有してもよい。
【００２５】
また、上述のようなデータ処理装置において、位置順位部は、位置売上順位として所定期間での商品保持位置ごとの商品販売個数を取得し、商品記憶部は、陳列販売商品ごとに商品販売実益も記憶し、商品陳列形態に対応して商品保持位置ごとに商品販売個数と商品販売実益を乗算して位置予想実益を算出する予想算出部と、算出された位置予想実益をシステム正面画像の商品保持位置ごとに表示出力する予想表示部とを、さらに有してもよい。
【００２６】
また、上述のようなデータ処理装置において、商品保持位置ごとに算出された位置予想実益を総計してシステム予想実益を算出する総計算出部と、算出されたシステム予想実益を表示出力する総計表示部とを、さらに有してもよい。
【００２７】
また、上述のようなデータ処理装置において、商品記憶部は、陳列販売商品の少なくとも一部としてタバコパックとタバコカートンとを記憶し、商品順位部は、タバコパックの販売商品種別ごとの商品売上順位とタバコカートンの販売商品種別ごとの商品売上順位とを個別に取得し、構造記憶部は、タバコパックの商品保持位置とタバコカートンの商品保持位置とが区分されている陳列収容構造を記憶し、位置順位部は、タバコパックの商品保持位置ごとの位置売上順位とタバコカートンの商品保持位置ごとの位置売上順位を個別に取得し、陳列生成部は、タバコパックの商品売上順位と位置売上順位との対応関係条件およびタバコカートンの商品売上順位と位置売上順位との対応関係条件により商品陳列システムにタバコパックとタバコカートンとを陳列する商品陳列形態を生成し、陳列表示部は、商品陳列形態でタバコパックとタバコカートンとが陳列された商品陳列システムを表示出力してもよい。
【００２８】
本発明のコンピュータプログラムは、商品陳列システムに収容される複数種類の陳列販売商品の商品陳列形態を生成するデータ処理装置のコンピュータプログラムであって、商品保持位置で陳列販売商品を上下方向および左右方向に所定個数ずつ配列して陳列するとともに前後方向に所定個数ずつ収容する商品陳列システムの陳列収容構造を少なくともシステム正面画像とともに記憶する構造記憶処理と、システム正面画像の商品保持位置に配置される陳列販売商品ごとに少なくとも商品正面画像を記憶する商品記憶処理と、陳列販売商品の販売商品種別ごとの商品売上順位を取得する商品順位処理と、陳列販売商品の商品保持位置ごとの位置売上順位を取得する位置売上処理と、取得された商品売上順位と位置売上順位との対応関係条件により商品陳列システムに陳列販売商品を陳列する商品陳列形態を生成する陳列生成処理と、生成された商品陳列形態で商品正面画像をシステム正面画像の商品保持位置に配置して表示出力する陳列表示処理と、をデータ処理装置に実行させる。
【００２９】
本発明のデータ処理方法は、商品陳列システムに収容される複数種類の陳列販売商品の商品陳列形態を生成するデータ処理装置のデータ処理方法であって、商品保持位置で陳列販売商品を上下方向および左右方向に所定個数ずつ配列して陳列するとともに前後方向に所定個数ずつ収容する商品陳列システムの陳列収容構造を少なくともシステム正面画像とともに記憶する構造記憶動作と、システム正面画像の商品保持位置に配置される陳列販売商品ごとに少なくとも商品正面画像を記憶する商品記憶動作と、陳列販売商品の販売商品種別ごとの商品売上順位を取得する商品順位動作と、陳列販売商品の商品保持位置ごとの位置売上順位を取得する位置売上動作と、取得された商品売上順位と位置売上順位との対応関係条件により商品陳列システムに陳列販売商品を陳列する商品陳列形態を生成する陳列生成動作と、生成された商品陳列形態で商品正面画像をシステム正面画像の商品保持位置に配置して表示出力する陳列表示動作と、を有する。
【００３０】
なお、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００３１】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００３２】
また、本発明のデータ処理方法は、複数の動作を順番に記載してあるが、その記載の順番は複数の動作を実行する順番を限定するものではない。このため、本発明のデータ処理方法を実施するときには、その複数の動作の順番は内容的に支障しない範囲で変更することができる。
【００３３】
さらに、本発明のデータ処理方法は、複数の動作が個々に相違するタイミングで実行されることに限定されない。このため、ある動作の実行中に他の動作が発生すること、ある動作の実行タイミングと他の動作の実行タイミングとの一部ないし全部が重複していること、等でもよい。
【００３４】
また、本発明では上下以外に前後左右の方向も規定しているが、これは本発明の構成要素の相対関係を簡単に説明するために便宜的に規定したものであり、本発明を実施する場合の製造時や使用時の方向を限定するものではない。
【００３５】
さらに、本発明で云う「データを記憶する」とは、本発明の装置が、少なくともデータを記憶する機能を有することを意味している。このため、本発明の装置がコンシューマにより新規に登録されるデータを記憶することの他、サプライヤにより製造時に登録されたデータを記憶して出荷後にはコンシューマにより新規のデータが登録されないことも許容する。
【００３６】
また、本発明で云うデータ処理装置は、コンピュータプログラムを読み取って対応する処理動作を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたハードウェア、所定の処理動作を実行するように構築された専用の論理回路、これらの組み合わせ、等として実施することができる。
【００３７】
なお、本発明でコンピュータプログラムに対応した各種動作をデータ処理装置に実行させることは、各種デバイスをデータ処理装置に動作制御させることなども意味している。
【００３８】
例えば、データ処理装置に各種データを記憶させることは、データ処理装置に固定されているＨＤＤ（Hard Disc Drive）等の情報記憶媒体にＣＰＵが各種データを格納すること、データ処理装置に交換自在に装填されているＣＤ−Ｒ（Compact Disc-Recordable）等の情報記憶媒体にＣＰＵがＣＤドライブで各種データを格納すること、等を許容する。
【発明の効果】
【００３９】
本発明のデータ処理装置では、商品保持位置で陳列販売商品を上下方向および左右方向に所定個数ずつ配列して陳列するとともに前後方向に所定個数ずつ収容する商品陳列システムの陳列収容構造を少なくともシステム正面画像とともに構造記憶部が記憶し、システム正面画像の商品保持位置に配置される陳列販売商品ごとに少なくとも商品正面画像を商品記憶部が記憶する。さらに、陳列販売商品の販売商品種別ごとの商品売上順位を商品順位部が取得し、陳列販売商品の商品保持位置ごとの位置売上順位を位置順位部が取得する。すると、取得された商品売上順位と位置売上順位との対応関係条件により商品陳列システムに陳列販売商品を陳列する商品陳列形態を陳列生成部が生成する。生成された商品陳列形態で陳列表示部が商品正面画像をシステム正面画像の商品保持位置に配置して表示出力する。従って、商品売上順位と位置売上順位との対応関係条件による商品陳列形態がシステム正面画像と商品正面画像とで表示出力される。このため、例えば、売上が良好な陳列販売商品を、売上が良好な商品保持位置に陳列した商品陳列形態を生成して画像表示するようなことができる。このような商品陳列形態に対応して実際に商品陳列システムに陳列販売商品を陳列することにより、売上が良好な陳列販売商品の、さらなる売上向上などを期待することができる。反対に、売上が不良な陳列販売商品を売上が良好な商品保持位置に陳列した商品陳列形態など生成して画像表示するようなこともできる。このような商品陳列形態に対応して実際に商品陳列システムに陳列販売商品を陳列することにより、売上が不良な陳列販売商品の売上改善などを期待することができる。
【発明を実施するための最良の形態】
【００４０】
本発明の実施の一形態を図面を参照して以下に説明する。本実施の形態のデータ処理装置８００は、詳細には後述するが、図１に示すように、商品陳列システムであるタバコ陳列システム１０００に収容される複数種類の陳列販売商品であるタバコパックＴＰやタバコカートンＴＫやブリックパックＢＰの商品陳列形態ＰＤＦを生成する。
【００４１】
データ処理装置８００は、図２に示すように、各種データを表示画面に表示出力する表示デバイス８０１、各種の入力操作を受け付ける入力デバイス８０２、各種のデータ処理を実行するコンピュータユニット８０３、等をハードウェアとして有する。
【００４２】
より詳細には、このコンピュータユニット８０３は、各種のデータ処理を実行するＣＰＵ(Central Processing Unit)８３１、各種データを固定的に記憶しているＲＯＭ(Read Only Memory)８３２、各種データを一時保持するＲＡＭ(Random Access Memory)８３３、等を有し、これらがバスライン８３４で接続されている。
【００４３】
さらに、このバスライン８３４には、大容量の各種データを記憶するＨＤＤ(Hard Disc Drive)８４１、データカード８５１が着脱自在に装填されるカードリーダ８４２、ＣＤ(Compact Disc)−ＲＯＭ８５２が着脱自在に装填されるＣＤドライブ８４３、入力デバイス８０２であるキーボード８４４、入力デバイス８０２であるマウス８４５、ＬＣＤ(Liquid Crystal Display)等からなる表示デバイス８０１、Ｉ／Ｆ(Interface)ユニット８４６、等のハードウェアが接続されている。
【００４４】
本実施の形態のデータ処理装置８００では、ＲＯＭ８３２、ＲＡＭ８３３、ＨＤＤ８４１、着脱自在なデータカード８５１、着脱自在なＣＤ−ＲＯＭ８５２、等がデータ記憶媒体に相当し、詳細には後述するが、これらの少なくとも一個にＣＰＵ８３１のための各種のコンピュータプログラムが格納されている。
【００４５】
このコンピュータプログラムや入力デバイス８０２の入力データなどに対応して、データ処理装置８００は、表示デバイス８０１の画像生成などの各種のデータ処理を実行する。
【００４６】
このため、データ処理装置８００は、図１に示すように、商品保持位置ＰＫＳでタバコパックＴＰなどを上下方向および左右方向に所定個数ずつ配列して陳列するとともに前後方向に所定個数ずつ収容するタバコ陳列システム１０００の陳列収容構造ＤＩＳを少なくともシステム正面画像ＳＦＧとともに記憶する構造記憶部８１０と、システム正面画像ＳＦＧの商品保持位置ＰＫＳに配置されるタバコパックＴＰやタバコカートンＴＫやブリックパックＢＰごとに少なくともパックフェイス画像ＰＦＧやカートンフェイス画像ＫＦＧやカートン端面画像ＫＥＧやブリックフェイス画像ＢＦＧを記憶する商品記憶部８２０と、タバコパックＴＰやタバコカートンＴＫやブリックパックＢＰなどの販売商品種別ごとの商品売上順位ＴＳＲを取得する商品順位部８３０と、タバコパックＴＰやタバコカートンＴＫやブリックパックＢＰの商品保持位置ＰＫＳごとの位置売上順位ＰＳＲを取得する位置順位部８４０と、取得された商品売上順位ＴＳＲと位置売上順位ＰＳＲとの対応関係条件ＣＲＲによりタバコ陳列システム１０００にタバコパックＴＰなどを陳列する商品陳列形態ＰＤＦを生成する陳列生成部８５０と、生成された商品陳列形態ＰＤＦでパックフェイス画像ＰＦＧなどをシステム正面画像ＳＦＧの商品保持位置ＰＫＳに配置して表示出力する陳列表示部８６０と、を論理的に有する。
【００４７】
さらに、本実施の形態のデータ処理装置８００は、取得された商品売上順位ＴＳＲと位置売上順位ＰＳＲとを表示出力する順位表示部８７０と、表示出力された商品売上順位ＴＳＲと位置売上順位ＰＳＲとに対応関係条件ＣＲＲを設定する入力操作を受け付ける条件入力部８８０と、も有する。
【００４８】
構造記憶部８１０は、タバコ陳列システム１０００の商品保持位置ＰＫＳごとに位置識別データＳＩＤも記憶し、順位表示部８７０は、取得された商品売上順位ＴＳＲでパックフェイス画像ＰＦＧやカートンフェイス画像ＫＦＧやカートン端面画像ＫＥＧやブリックフェイス画像ＢＦＧを一覧表示するとともに取得された位置売上順位ＰＳＲで位置識別データＳＩＤを一覧表示する。
【００４９】
条件入力部８８０は、商品売上順位ＴＳＲで一覧表示されたパックフェイス画像ＰＦＧやカートンフェイス画像ＫＦＧやカートン端面画像ＫＥＧやブリックフェイス画像ＢＦＧと位置売上順位ＰＳＲで一覧表示された位置識別データＳＩＤとに対応関係条件ＣＲＲを設定する。
【００５０】
より具体的には、本実施の形態のデータ処理装置８００でタバコパックＴＰやブリックパックＢＰやタバコカートンＴＫの商品陳列形態ＰＤＦがシミュレートされるタバコ陳列システム１０００は、図４に示すように、前後方向に細長い上面開口のボックス状に形成されていて前後方向に配列された複数のタバコパックＴＰを保持する形状の複数のマガジンユニット１００と、上面開口のボックス状に形成されていて左右方向に配列された複数のマガジンユニット１００を着脱自在に保持する形状の複数のトレーユニット２００と、前面開口のボックス状に形成されていて上下方向に離間した配置で複数のトレーユニット２００を着脱自在に保持する形状の複数のフレームユニット３００と、複数のフレームユニット３００を上下方向に連結する上下連結機構と、を有する。
【００５１】
タバコ陳列システム１０００は、陳列販売商品であるタバコパックＴＰ、複数のタバコパックＴＰがパックされた商品であるタバコカートンＴＫ、特別なタバコパックＴＰであるブリックパックＢＰ、等を陳列する。
【００５２】
なお、ブリックパックＢＰは、例えば、携帯灰皿などのノベルティグッズをタバコパックＴＰと一体にパッキングした構造などからなり、上述のように特別な構造のタバコパックＴＰと認識することができる。このブリックパックＢＰは、例えば、厚紙で形成された簡易什器ＥＦとともにタバコ販売店舗に提供される。
【００５３】
現在、タバコパックＴＰは、上下寸法に多少の長短はあるものの、一般的に前後左右の寸法が共通した定型の直方体状に形成されている。そして、本実施の形態では、タバコパックＴＰの最大面を前面および後面、最小面を上面および下面、と規定する。
【００５４】
なお、通常のタバコパックＴＰは前面(および後面)に銘柄などが表記されている。このため、その前面が前方に位置する適正な方向の状態で陳列されることが好ましい。そして、マガジンユニット１００は、図４に示すように、上述のように方向が適正な状態の複数のタバコパックＴＰを前後方向に配列した状態で収容する。
【００５５】
トレーユニット２００も、上面が開口したボックス状に無色透明な樹脂で形成されている。トレーユニット２００には、複数のマガジンユニット１００が左右方向に配列された状態で収容される。
【００５６】
ただし、本実施の形態のタバコ陳列システム１０００では、図３に示すように、マガジンユニット１００を五個収容する幅広のトレーユニット２００と三個収容する幅狭のトレーユニット２００とがある。
【００５７】
フレームユニット３００は、図４に示すように、一対の本体フレーム３１０と複数の支持フレーム３２０からなる。本体フレーム３１０は、前面形状が矩形の枠状となるように曲折された金属の板材からなり、一対が前後方向に配列されている。
【００５８】
支持フレーム３２０は、トレーユニット２００を支持する前後方向に細長いレール状に形成された金属の板材からなり、複数が上下方向に配列されて一対の本体フレーム３１０の内側面に接合されている。
【００５９】
ただし、トレーユニット２００は、前述のように二種類の左右寸法がある。そこで、本実施の形態のタバコ陳列システム１０００では、図３に示すように、左右寸法が大きいトレーユニット２００を三個保持するフレームユニット３００、左右寸法が大きいトレーユニット２００を二個保持するフレームユニット３００、左右寸法が小さいトレーユニット２００を三個保持するフレームユニット３００、左右寸法が小さいトレーユニット２００を二個保持するフレームユニット３００、がある。
【００６０】
なお、フレームユニット３００は、本体フレーム３１０の上面両側と下面両側とに、上下連結機構となる面ファスナ３１１が装着されている。また、本体フレーム３１０の下面中央には、フレーム凹部となるフレーム貫通孔(図示せず)が形成されている。本体フレーム３１０の上面中央には、フレーム凸部となる凸部材３１４が装着されている。
【００６１】
そこで、本実施の形態のタバコ陳列システム１０００では、図４に示すように、横幅が同一の複数のフレームユニット３００を上下方向に設置すると、その複数のフレームユニット３００が面ファスナ３１１により連結される。このとき、フレーム貫通孔と凸部材３１４とが係合する。
【００６２】
なお、タバコ陳列システム１０００は、前述のようにフレームユニット３００にトレーユニット２００で装着したマガジンユニット１００にタバコパックＴＰを収容する他、フレームユニット３００に装着したトレーユニット２００にタバコカートンＴＫを長手方向が前後方向の状態や左右方向の状態で収容することもできる。つまり、タバコ陳列システム１０００は、フレームユニット３００に複数種類の使用状態がある。
【００６３】
上述のように複数種類のフレームユニット３００やトレーユニット２００を自在に組み合わせることで、タバコ販売店舗ごとに様々な形態のタバコ陳列システム１０００が構築される。
【００６４】
上述のように複数種類のフレームユニット３００などでタバコ陳列システム１０００が形成されると、これに対応した陳列収容構造ＤＩＳとしてデータ処理装置８００にデータ登録される。
【００６５】
このとき、フレームユニット３００ごとのユニットデータが事前に用意されていることにより、タバコ陳列システム１０００の陳列収容構造ＤＩＳおよび商品保持位置ＰＫＳが簡単かつ確実にデータ処理装置８００に登録される。
【００６６】
上述のような状態で、データ処理装置８００は、前述のようにタバコ陳列システム１０００にタバコパックＴＰやタバコカートンＴＫなどを最適に陳列することをシミュレートすることができる。
【００６７】
なお、上述のようなデータ処理装置８００のコンピュータプログラムは、例えば、タバコ陳列システム１０００とともにアプリケーションソフトとしてタバコ製造メーカからタバコ販売店舗に提供される。
【００６８】
上述のようなコンピュータプログラムは、例えば、商品保持位置ＰＫＳでタバコパックＴＰなどを上下方向および左右方向に所定個数ずつ配列して陳列するとともに前後方向に所定個数ずつ収容するタバコ陳列システム１０００の陳列収容構造ＤＩＳを少なくともシステム正面画像ＳＦＧとともに記憶する構造記憶処理と、システム正面画像ＳＦＧの商品保持位置ＰＫＳに配置されるタバコパックＴＰやタバコカートンＴＫやブリックパックＢＰごとに少なくともパックフェイス画像ＰＦＧやカートンフェイス画像ＫＦＧやカートン端面画像ＫＥＧやブリックフェイス画像ＢＦＧを記憶する商品記憶処理と、タバコパックＴＰやタバコカートンＴＫやブリックパックＢＰなどの販売商品種別ごとの商品売上順位ＴＳＲを取得する商品順位処理と、タバコパックＴＰやタバコカートンＴＫやブリックパックＢＰの商品保持位置ＰＫＳごとの位置売上順位ＰＳＲを取得する位置売上処理と、取得された商品売上順位ＴＳＲと位置売上順位ＰＳＲとの対応関係条件ＣＲＲによりタバコ陳列システム１０００にタバコパックＴＰなどを陳列する商品陳列形態ＰＤＦを生成する陳列生成処理と、生成された商品陳列形態ＰＤＦでパックフェイス画像ＰＦＧなどをシステム正面画像ＳＦＧの商品保持位置ＰＫＳに配置して表示出力する陳列表示処理と、をデータ処理装置８００に実行させるように記述されている。
【００６９】
上述のような構成において、本実施の形態のデータ処理装置８００およびタバコ陳列システム１０００の使用方法を以下に説明する。まず、本実施の形態のタバコ陳列システム１０００では、例えば、四種類のフレームユニット３００、四種類のトレーユニット２００、二種類のマガジンユニット１００、等を所望により自在に組み合せることができる。
【００７０】
このため、本実施の形態のタバコ陳列システム１０００は、設置する空間に対応した外形とすることができ、空間を有効に利用することができる。特に、タバコパックＴＰを三列に保持する幅狭のフレームユニット３００と五列に保持する幅広のフレームユニット３００とがあるので、設置スペースの左右寸法に良好に対応することができる。
【００７１】
さらに、タバコパックＴＰを三行に保持する背高のフレームユニット３００と二行に保持する背低のフレームユニット３００とがあるので、設置スペースの上下寸法にも良好に対応することができる。
【００７２】
上述のようにタバコ販売店舗で独自にタバコ陳列システム１０００を構築すると、このタバコ陳列システム１０００の陳列収容構造ＤＩＳや商品保持位置ＰＫＳなどが陳列システムデータとしてデータ処理装置８００に登録される。
【００７３】
なお、本出願人は上述のようなタバコ陳列システム１０００の構築をシミュレートして支援するデータ処理装置８００を発明しており、特願２００７−０５３７１８号，特願２００７−０５３７１９号，特願２００７−０５３７２５号，特願２００７−０５３７２６号、として出願している。
【００７４】
上述のようにタバコ陳列システム１０００の形成とデータ登録が完了すると、そこにタバコパックＴＰやブリックパックＢＰやタバコカートンＴＫを陳列して販売することになる。
【００７５】
しかし、上述のようにタバコ陳列システム１０００がタバコ販売店舗ごとに独自に構築されているため、そこにタバコパックＴＰやブリックパックＢＰやタバコカートンＴＫを最適に陳列することは容易ではない。
【００７６】
特に、不良在庫を最少とするためには、タバコ陳列システム１０００に陳列して販売する複数種類のタバコパックＴＰなどの回転率を最大とすることが好ましい。このためには、タバコ販売店舗では、タバコ陳列システム１０００でのタバコパックＴＰやタバコカートンＴＫなどの商品陳列形態ＰＤＦを変更することがある。
【００７７】
このような場合、本実施の形態のデータ処理装置８００では、上述のように各種構造のタバコ陳列システム１０００でのタバコパックＴＰなどの商品陳列形態ＰＤＦを、そのタバコパックＴＰなどの商品売上順位ＴＳＲと、タバコ陳列システム１０００での位置売上順位ＰＳＲと、に基づいてシミュレートすることができる。
【００７８】
その場合、図９に示すように、データ処理装置８００の所定操作で陳列形態生成のシミュレーションプログラムが起動されると(ステップＳ１−Ｙ)、システム正面画像ＳＦＧなどの各種データが読み出される(ステップＳ２)。
【００７９】
すると、図５に示すように、初期画面としてシステム正面画像ＳＦＧが表示出力される(ステップＳ３)。このとき、このシステム正面画像ＳＦＧは、商品保持位置ＰＫＳの各々に個々に位置識別データＳＩＤも表示出力される。
【００８０】
このような状態で、タバコパックＴＰやタバコカートンＴＫやブリックパックＢＰなどの販売商品種別ごとの商品売上順位ＴＳＲが取得されると(ステップＳ４−Ｙ)、例えば、図６に示すように、この商品売上順位ＴＳＲがシステム正面画像ＳＦＧの左方にパックフェイス画像ＰＦＧなどで一覧表示される(ステップＳ５)。
【００８１】
同様に、タバコパックＴＰやタバコカートンＴＫやブリックパックＢＰの商品保持位置ＰＫＳごとの位置売上順位ＰＳＲが取得されると(ステップＳ６−Ｙ)、この位置売上順位ＰＳＲも位置識別データＳＩＤで一覧表示される(ステップＳ７)。
【００８２】
なお、上述の商品売上順位ＴＳＲや位置売上順位ＰＳＲは、事前に作業者が集計していた調査データがデータ処理装置８００にリアルタイムに入力操作されてもよく、例えば、タバコ販売店舗のＰＯＳシステム(図示せず)からデータ処理装置８００に取得されてもよい。
【００８３】
上述のような画像表示状態により、作業者はシステム正面画像ＳＦＧとともに商品売上順位ＴＳＲと位置売上順位ＰＳＲとを一目で確認することになる。このような状態で、作業者は所望により所定の入力操作で、図７に示すように、商品売上順位ＴＳＲのパックフェイス画像ＰＦＧなどと位置売上順位ＰＳＲの位置識別データＳＩＤとに対応関係条件ＣＲＲを設定する(ステップＳ８−Ｙ)。
【００８４】
この設定が完了した状態で商品陳列形態ＰＤＦの生成実行が入力操作されると(ステップＳ９−Ｙ)、入力操作された商品売上順位ＴＳＲと位置売上順位ＰＳＲとの対応関係条件ＣＲＲにより商品陳列形態ＰＤＦが生成される(ステップＳ１０)。
【００８５】
すると、この商品陳列形態ＰＤＦが、図８に示すように、商品保持位置ＰＫＳにパックフェイス画像ＰＦＧなどが配置されたシステム正面画像ＳＦＧとして表示出力される(ステップＳ１１)。
【００８６】
図７に示すように、もしも作業者が商品売上順位ＴＳＲの上位のパックフェイス画像ＰＦＧと、位置売上順位ＰＳＲの上位の位置識別データＳＩＤとが関連するように、対応関係条件ＣＲＲを設定したならば、売上が良好なタバコパックＴＰなどが売上が良好な商品保持位置ＰＫＳに配置された商品陳列形態ＰＤＦが生成されることになる。
【００８７】
なお、図示するように、商品売上順位ＴＳＲと位置売上順位ＰＳＲとは、タバコパックＴＰやタバコカートンＴＫなどの商品種別ごとに表示出力される。また、このように商品種別ごとに表示出力された商品売上順位ＴＳＲと位置売上順位ＰＳＲとは、例えば、所定操作により上下逆転させるようなこともできる(図示せず)。
【００８８】
上述のように生成されて表示出力された商品陳列形態ＰＤＦを確認した作業者は、例えば、所望により対応関係条件ＣＲＲを変更することにより(ステップＳ１２−Ｎ，Ｓ８−Ｙ)、商品陳列形態ＰＤＦを変更することもできる(ステップＳ９〜Ｓ１１)。
【００８９】
そして、所望の対応関係条件ＣＲＲにより所望の商品陳列形態ＰＤＦを獲得した作業者は、例えば、その商品陳列形態ＰＤＦを印刷出力したりデータ登録するなどして(図示せず)、陳列形態生成のシミュレーションプログラムを終了することになる(ステップＳ１２−Ｙ，Ｓ１３)。
【００９０】
本実施の形態のデータ処理装置８００では、上述のように商品保持位置ＰＫＳでタバコパックＴＰなどを上下方向および左右方向に所定個数ずつ配列して陳列するとともに前後方向に所定個数ずつ収容するタバコ陳列システム１０００の陳列収容構造ＤＩＳを少なくともシステム正面画像ＳＦＧとともに記憶する。
【００９１】
また、システム正面画像ＳＦＧの商品保持位置ＰＫＳに配置されるタバコパックＴＰやタバコカートンＴＫやブリックパックＢＰごとに少なくともパックフェイス画像ＰＦＧやカートンフェイス画像ＫＦＧやカートン端面画像ＫＥＧやブリックフェイス画像ＢＦＧを記憶する。
【００９２】
このような状態で、タバコパックＴＰやタバコカートンＴＫやブリックパックＢＰなどの販売商品種別ごとの商品売上順位ＴＳＲを取得し、タバコパックＴＰやタバコカートンＴＫやブリックパックＢＰの商品保持位置ＰＫＳごとの位置売上順位ＰＳＲを取得する。
【００９３】
すると、取得された商品売上順位ＴＳＲと位置売上順位ＰＳＲとの対応関係条件ＣＲＲによりタバコ陳列システム１０００にタバコパックＴＰなどを陳列する商品陳列形態ＰＤＦを生成する。生成された商品陳列形態ＰＤＦでパックフェイス画像ＰＦＧなどをシステム正面画像ＳＦＧの商品保持位置ＰＫＳに配置して表示出力する。
【００９４】
従って、商品売上順位ＴＳＲと位置売上順位ＰＳＲとの対応関係条件ＣＲＲによる商品陳列形態ＰＤＦが、システム正面画像ＳＦＧとパックフェイス画像ＰＦＧやカートンフェイス画像ＫＦＧやカートン端面画像ＫＥＧやブリックフェイス画像ＢＦＧとで表示出力される。
【００９５】
このため、例えば、上述のように売上が良好なタバコパックＴＰやタバコカートンＴＫやブリックパックＢＰを、売上が良好な商品保持位置ＰＫＳに陳列した商品陳列形態ＰＤＦを生成して画像表示するようなことができる。
【００９６】
このような商品陳列形態ＰＤＦに対応して実際にタバコ陳列システム１０００にタバコパックＴＰやタバコカートンＴＫやブリックパックＢＰを陳列することにより、売上が良好なタバコパックＴＰやタバコカートンＴＫやブリックパックＢＰの、さらなる売上向上などを期待することができる。
【００９７】
反対に、売上が不良なタバコパックＴＰやタバコカートンＴＫやブリックパックＢＰを、売上が良好な商品保持位置ＰＫＳに陳列した商品陳列形態ＰＤＦなど生成して画像表示するようなこともできる。
【００９８】
このような商品陳列形態ＰＤＦに対応して実際にタバコ陳列システム１０００にタバコパックＴＰやタバコカートンＴＫやブリックパックＢＰを陳列することにより、売上が不良なタバコパックＴＰやタバコカートンＴＫやブリックパックＢＰの売上改善などを期待することができる。
【００９９】
なお、タバコパックＴＰなどには、商品保持位置ＰＫＳにより売上が大幅に影響される製品と、さほど影響されない製品などが実際にある。このような場合、売上が大幅に影響される製品は、売上が良好な商品保持位置ＰＫＳに配置し、さほど影響されない製品は、売上が不良な商品保持位置ＰＫＳに配置すれば、タバコ陳列システム１０００の全体での売上向上を期待することができる。
【０１００】
また、新製品のタバコパックＴＰなどは優先的に売上が良好な商品保持位置ＰＫＳに配置し、その状態で販売商品種別ごとの売上を観察し、最終的に適正な商品保持位置ＰＫＳを決定するようなこともできる。
【０１０１】
特に、本実施の形態のデータ処理装置８００では、取得された商品売上順位ＴＳＲと位置売上順位ＰＳＲとを表示出力し、表示出力された商品売上順位ＴＳＲと位置売上順位ＰＳＲとに対応関係条件ＣＲＲを設定する入力操作を受け付ける。このため、作業者は所望により上述のような各種の対応関係条件ＣＲＲを設定して所望の商品陳列形態ＰＤＦを獲得することができる。
【０１０２】
しかも、本実施の形態のデータ処理装置８００は、タバコ陳列システム１０００の商品保持位置ＰＫＳごとに位置識別データＳＩＤも記憶し、取得された商品売上順位ＴＳＲでパックフェイス画像ＰＦＧやカートンフェイス画像ＫＦＧやカートン端面画像ＫＥＧやブリックフェイス画像ＢＦＧを一覧表示するとともに取得された位置売上順位ＰＳＲで位置識別データＳＩＤを一覧表示する。
【０１０３】
そして、商品売上順位ＴＳＲで一覧表示されたパックフェイス画像ＰＦＧやカートンフェイス画像ＫＦＧやカートン端面画像ＫＥＧやブリックフェイス画像ＢＦＧと位置売上順位ＰＳＲで一覧表示された位置識別データＳＩＤとに対応関係条件ＣＲＲが設定される。このため、作業者は所望の対応関係条件ＣＲＲを直感的に容易に設定することができる。
【０１０４】
なお、本発明は本実施の形態に限定されるものではなく、その要旨を逸脱しない範囲で各種の変形を許容する。例えば、上記形態では取得された商品売上順位ＴＳＲと位置売上順位ＰＳＲとが表示出力され、表示出力された商品売上順位ＴＳＲと位置売上順位ＰＳＲとに対応関係条件ＣＲＲが入力操作されることを例示した。
【０１０５】
しかし、このような対応関係条件ＣＲＲがデータ処理装置８００に固定的に設定されていてもよい。この場合、作業者の所望により対応関係条件ＣＲＲを自由に操作することはできないが、例えば、統計的に売上が最適となると判断された対応関係条件ＣＲＲなどで商品陳列形態ＰＤＦを自動的に生成するようなことができる。
【０１０６】
また、上記形態では取得された商品売上順位ＴＳＲでパックフェイス画像ＰＦＧやカートンフェイス画像ＫＦＧやカートン端面画像ＫＥＧやブリックフェイス画像ＢＦＧが一覧表示されるとともに、取得された位置売上順位ＰＳＲで位置識別データＳＩＤが一覧表示され、これらに対応関係条件ＣＲＲが設定されることを例示した。
【０１０７】
しかし、取得された位置売上順位ＰＳＲがシステム正面画像ＳＦＧの商品保持位置ＰＫＳに表示出力され、商品売上順位ＴＳＲで一覧表示されたパックフェイス画像ＰＦＧなどと位置売上順位ＰＳＲが表示出力された商品保持位置ＰＫＳとに対応関係条件ＣＲＲが設定されてもよい(図示せず)。
【０１０８】
この場合、作業者は商品売上順位ＴＳＲで一覧表示されたパックフェイス画像ＰＦＧを、位置売上順位ＰＳＲが表示出力されたシステム正面画像ＳＦＧの商品保持位置ＰＫＳに、所望により配列していくことができる。システム正面画像ＳＦＧにパックフェイス画像ＰＦＧなどが配置された商品陳列形態ＰＤＦを確認しながら生成していくようなことができる。
【０１０９】
さらに、上記形態では商品売上順位ＴＳＲと位置売上順位ＰＳＲとの対応関係条件ＣＲＲにより商品陳列形態ＰＤＦが生成されることのみ例示した。しかし、対応関係条件ＣＲＲにより生成される商品陳列形態ＰＤＦが陳列補正条件により補正されてもよい(図示せず)。なお、このようなデータ処理装置(図示せず)では、商品売上順位ＴＳＲや位置売上順位ＰＳＲが陳列補正条件により補正されてもよい。
【０１１０】
例えば、前述のようにタバコパックＴＰなどと商品保持位置ＰＫＳとに一対一で対応関係条件ＣＲＲが設定されると、図８に示すように、商品陳列形態ＰＤＦではタバコパックＴＰなどが無秩序な状態に配列されることになる。
【０１１１】
そこで、このような商品陳列形態ＰＤＦで商品保持位置ＰＫＳの一群ごとにタバコパックＴＰなどに多数決を実行させることにより、図１０に示すように、商品陳列形態ＰＤＦは一群の商品保持位置ＰＫＳには一種類のタバコパックＴＰなどが配列された状態に補正されることになる。
【０１１２】
このような陳列補正条件として、例えば、図１１に示すように、事前に商品保持位置ＰＫＳを一群ごとに一つとしておき、これとタバコパックＴＰなどとに一対一に対応関係条件ＣＲＲを設定してもよい。
【０１１３】
さらに、システム正面画像ＳＦＧにパックフェイス画像ＰＦＧなどが配置された商品陳列形態ＰＤＦで、図１２に示すように、その商品保持位置ＰＫＳごとの位置売上順位ＰＳＲが疑似的な三次元グラフなどで表示出力されてもよい。
【０１１４】
この場合、位置売上順位ＰＳＲの正確な把握は困難であるが、表示画像により直感的に商品保持位置ＰＫＳごとの位置売上順位ＰＳＲをパックフェイス画像ＰＦＧなどごとに把握することができる。
【０１１５】
また、上述のようなデータ処理装置８００において、位置順位部８４０は、位置売上順位ＰＳＲとして所定期間での商品保持位置ＰＫＳごとの商品販売個数を取得し、商品記憶部８２０は、タバコパックＴＰやタバコカートンＴＫやブリックパックＢＰごとに商品販売単価も記憶し、商品陳列形態ＰＤＦに対応して商品保持位置ＰＫＳごとに商品販売個数と商品販売単価を乗算して位置予想売上を算出する予想算出部と、算出された位置予想売上をシステム正面画像ＳＦＧの商品保持位置ＰＫＳごとに表示出力する予想表示部とを、さらに有してもよい(図示せず)。この場合、前述のように生成された商品陳列形態ＰＤＦによる、タバコパックＴＰなどの商品保持位置ＰＫＳごとの位置予想売上を確認することができる。
【０１１６】
同様に、上述のようなデータ処理装置８００において、位置順位部８４０は、位置売上順位ＰＳＲとして所定期間での商品保持位置ＰＫＳごとの商品販売個数を取得し、商品記憶部８２０は、タバコパックＴＰやタバコカートンＴＫやブリックパックＢＰごとに商品販売実益も記憶し、商品陳列形態ＰＤＦに対応して商品保持位置ＰＫＳごとに商品販売個数と商品販売実益を乗算して位置予想実益を算出する予想算出部と、算出された位置予想実益をシステム正面画像ＳＦＧの商品保持位置ＰＫＳごとに表示出力する予想表示部とを、さらに有してもよい(図示せず)。この場合、前述のように生成された商品陳列形態ＰＤＦによる、タバコパックＴＰなどの商品保持位置ＰＫＳごとの位置予想実益を確認することができる。
【０１１７】
さらに、上述のようなデータ処理装置８００において、商品保持位置ＰＫＳごとに算出された位置予想売上や位置予想実益を総計してシステム予想売上やシステム予想実益を算出する総計算出部と、算出されたシステム予想売上やシステム予想実益を表示出力する総計表示部とを、さらに有してもよい(図示せず)。
【０１１８】
これらの場合、前述のように生成された商品陳列形態ＰＤＦによる、タバコ陳列システム１０００の全体でのシステム予想売上やシステム予想実益を確認するようなことができる。
【０１１９】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【図面の簡単な説明】
【０１２０】
【図１】本発明の実施の形態のデータ処理装置の論理構造を示す模式的なブロック図である。
【図２】データ処理装置の物理構造を示すブロック図である。
【図３】ユニットシステムであるタバコ陳列システムの外観を示す斜視図である。
【図４】タバコ陳列システムの要部の構造を示す分解斜視図である。
【図５】システム正面画像が表示出力されたデータ処理装置の表示画面を示す模式的な正面図である。
【図６】システム正面画像とともに商品売上順位と位置売上順位とが表示出力された表示画面を示す模式的な正面図である。
【図７】商品売上順位と位置売上順位とに対応関係条件が入力操作された表示画面を示す模式的な正面図である。
【図８】商品売上順位と位置売上順位との対応関係条件によりシステム正面画像にパックフェイス画像などが配列された表示画面を示す模式的な正面図である。
【図９】データ処理装置のデータ処理方法を示すフローチャートである。
【図１０】一の変形例のデータ処理装置で対応関係条件によるシステム正面画像でのパックフェイス画像などの配列が補正された表示画面を示す模式的な正面図である。
【図１１】他の変形例のデータ処理装置で位置売上順位が補正された表示画面を示す模式的な正面図である。
【図１２】さらに他の変形例のデータ処理装置で商品陳列形態のパックフェイス画像などが位置売上順位に対応して表示出力された表示画面を示す模式的な正面図である。
【符号の説明】
【０１２１】
１００    マガジンユニット
２００    トレーユニット
３００    フレームユニット
３１０    本体フレーム
３１１    面ファスナ
３１４    凸部材
３２０    支持フレーム
８００    データ処理装置
８０１    表示デバイス
８０２    入力デバイス
８０３    コンピュータユニット
８１０    構造記憶部
８２０    商品記憶部
８３０    商品順位部
８３１    ＣＰＵ
８３２    ＲＯＭ
８３３    ＲＡＭ
８３４    バスライン
８４０    位置順位部
８４１    ＨＤＤ
８４２    カードリーダ
８４３    ＣＤドライブ
８４４    キーボード
８４５    マウス
８４６    Ｉ／Ｆユニット
８５０    陳列生成部
８５１    データカード
８５２    ＣＤ−ＲＯＭ
８６０    陳列表示部
８７０    順位表示部
８８０    条件入力部
１０００    タバコ陳列システム
ＢＦＧ    ブリックフェイス画像
ＢＰ    ブリックパック
ＣＲＲ    対応関係条件
ＤＩＳ    陳列収容構造
ＥＦ    簡易什器
ＫＥＧ    カートン端面画像
ＫＦＧ    カートンフェイス画像
ＰＤＦ    商品陳列形態
ＰＦＧ    パックフェイス画像
ＰＫＳ    商品保持位置
ＰＳＲ    位置売上順位
ＳＦＧ    システム正面画像
ＳＩＤ    位置識別データ
ＴＫ    タバコカートン
ＴＰ    タバコパック
ＴＳＲ    商品売上順位
【図１】
2010033114.tif 000003
【図２】
2010033114.tif 000004
【図３】
2010033114.tif 000005
【図４】
2010033114.tif 000006
【図５】
2010033114.tif 000007
【図６】
2010033114.tif 000008
【図７】
2010033114.tif 000009
【図８】
2010033114.tif 000010
【図９】
2010033114.tif 000011
【図１０】
2010033114.tif 000012
【図１１】
2010033114.tif 000013
【図１２】
2010033114.tif 000014